【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
クライアント端末のウェブページ閲覧アプリケーションで表示可能な表示情報を取得するウェブ管理装置であって、
前記取得した表示情報の内容を表示制限する領域を特定するための表示制限検出情報を記憶する表示制限検出情報記憶手段と、
前記表示制限検出情報に従って、表示を制限する領域を前記表示情報から特定する特定手段と、
前記特定された領域の内容が表示制限され且つ、前記特定された領域の内容を表示させるための表示要求を行う指示領域を有する表示形態に、前記取得した表示情報を変更する変更手段と、
前記変更した表示情報を前記クライアント端末に送信する第１の送信手段と、
前記変更された表示情報に従って、クライアント端末から前記表示要求を受信する受信手段と、
前記受信した表示要求に従って、前記特定された領域の内容が表示される表示形態で、表示情報を前記クライアント端末へ送信する第２の送信手段と、
を備えることを特徴とするウェブ管理装置。
【請求項２】
前記変更手段で変更する表示形態は、前記クライアント端末のウェブページを閲覧可能なアプリケーション上で押下可能な表示形態であることを特徴とする請求項１に記載のウェブ管理装置。
【請求項３】
前記受信手段で受信される表示要求は、前記表示形態が押下されるに従って受信することを特徴とする請求項２に記載のウェブ管理装置。
【請求項４】
前記表示要求を前記クライアント端末から受信するに際して、前記表示要求に対応する領域の表示制限検出情報を前記表示制限検出情報から削除する削除手段を備えることを特徴とする請求項１から請求項３までのいずれかに記載のウェブ管理装置。
【請求項５】
前記ウェブ管理装置は前記クライアント端末から受けたＵＲＬに従って表示情報を取得することを特徴とし、
前記ＵＲＬを記憶するＵＲＬ記憶手段を備え、
前記第２の送信手段で送信される表示情報は、前記ＵＲＬ記憶手段で記憶されたＵＲＬに従って再度取得した表示情報に従って変更された表示情報であることを特徴とする請求項１から請求項４までのいずれかに記載のウェブ管理装置。
【請求項６】
前記削除手段は、前記表示制限検出情報記憶手段で記憶される表示制限検出情報に従って複製された表示制限検出情報を削除することを特徴とする請求項４に記載のウェブ管理装置。
【請求項７】
前記クライアント端末で入力されたユーザ情報を受信するユーザ情報受信手段と、
前記受信したユーザ情報に従って認証する認証手段と、を有し、
前記第１の送信手段は、前記ユーザ情報が認証された場合に前記取得した表示情報を送信し、前記ユーザ情報が認証されなかった場合に前記取得した表示情報を送信しないことを特徴とする請求項１から請求項６までのいずれかに記載のウェブ管理装置。
【請求項８】
前記第２の送信手段で表示情報を送信するに際して、前記ＵＲＬ、前記ユーザ情報及び前記削除した表示制限検出情報を紐付けて履歴を記憶する履歴記憶手段を備えることを特徴とする請求項７に記載のウェブ管理装置。
【請求項９】
クライアント端末のウェブページ閲覧アプリケーションで表示可能な表示情報を取得するウェブ管理装置であって、
クライアント端末から受けたＵＲＬに従って、第１の表示情報を取得する取得手段と、
前記第１の表示情報と表示情報の内容を表示制限する領域を特定するための表示制限検出情報とに従って、当該表示制限検出情報が検出される領域を前記表示情報から特定する特定手段と、
前記特定された領域の内容が表示制限され且つ、前記特定された領域の内容を表示させるための表示要求を行う指示領域を有する表示形態に、前記取得した第１の表示情報から第２の表示情報を作成する作成手段と、
前記作成された第２の表示情報をクライアント端末に送信する送信手段と、
前記送信したクライアント端末から前記表示要求を受信する受信手段と、
前記受信した表示要求に従って、前記表示制限検出情報を変更する変更手段と、を備え、
前記作成手段は、前記変更された表示制限検出情報と前記第１の表示情報を用いて前記第２の表示情報を作成することを特徴とするウェブ管理装置。
【請求項１０】
ウェブページ閲覧アプリケーションで表示可能な表示情報を取得するウェブ管理装置とクライアント端末とが接続されるウェブシステムであって、
前記ウェブ管理装置は、
前記取得した表示情報の内容を表示制限する領域を特定するための表示制限検出情報を記憶する表示制限検出情報記憶手段と、
前記表示制限検出情報に従って、表示を制限する領域を前記表示情報から特定する特定手段と、
前記特定された領域の内容が表示制限され且つ、前記特定された領域の内容を表示させるための表示要求を行う指示領域を有する表示形態に、前記取得した表示情報を変更する変更手段と、
前記変更した表示情報を前記クライアント端末に送信する第１の送信手段と、
前記変更された表示情報に従って、クライアント端末から前記表示要求を受信する第１の受信手段と、
前記受信した表示要求に従って、前記特定された領域の内容が表示される表示形態で表示情報を前記クライアント端末へ送信する第２の送信手段と、を備え、
前記クライアント端末は、
前記ウェブ管理装置から前記表示情報を受信する第２の受信手段と、
前記受信した表示情報をウェブページ閲覧アプリケーションで表示させる第１の表示手段と、
前記ウェブページ閲覧アプリケーション上で、前記表示情報の表示制限された領域が指示されるに従って、前記ウェブ管理装置に対して前記表示要求を送信する第３の送信手段と、
前記送信された表示要求に従って変更された表示情報を受信する第３の受信手段と、
前記変更された表示情報を前記ウェブページ閲覧アプリケーションで表示させる第２の表示手段と、を備えることを特徴とするウェブシステム。
【請求項１１】
クライアント端末のウェブページ閲覧アプリケーションで表示可能な表示情報を取得するウェブ管理装置が実行するウェブ管理方法であって、
前記取得した表示情報の内容を表示制限する領域を特定するための表示制限検出情報を記憶する表示制限検出情報ステップと、
前記表示制限検出情報に従って、表示を制限する領域を前記表示情報から特定する特定ステップと、
前記特定された領域の内容が表示制限され且つ、前記特定された領域の内容を表示させるための表示要求を行う指示領域を有する表示形態に、前記取得した表示情報を変更する変更ステップと、
前記変更した表示情報を前記クライアント端末に送信する第１の送信ステップと、
前記変更された表示情報に従って、クライアント端末から前記表示要求を受信する受信ステップと、
前記受信した表示要求に従って、前記特定された領域の内容が表示される表示形態で、表示情報を前記クライアント端末へ送信する第２の送信ステップと、
を備えることを特徴とするウェブ管理方法。
【請求項１２】
クライアント端末のウェブページ閲覧アプリケーションで表示可能な表示情報を取得するウェブ管理装置が実行するウェブ管理方法であって、
クライアント端末から受けたＵＲＬに従って、第１の表示情報を取得する取得ステップと、
前記第１の表示情報と表示情報の内容を表示制限する領域を特定するための表示制限検出情報とに従って、当該表示制限検出情報が検出される領域を前記表示情報から特定する特定ステップと、
前記特定された領域の内容が表示制限され且つ、前記特定された領域の内容を表示させるための表示要求を行う指示領域を有する表示形態に、前記取得した第１の表示情報から第２の表示情報を作成する作成ステップと、
前記作成された第２の表示情報をクライアント端末に送信する送信ステップと、
前記送信したクライアント端末から前記表示要求を受信する受信ステップと、
前記受信した表示要求に従って、前記表示制限検出情報を変更する変更ステップと、を備え、
前記作成ステップは、前記変更された表示制限検出情報と前記第１の表示情報を用いて前記第２の表示情報を作成することを特徴とするウェブ管理方法。
【請求項１３】
クライアント端末のウェブページ閲覧アプリケーションで表示可能な表示情報を取得するウェブ管理装置を、
前記取得した表示情報の内容を表示制限する領域を特定するための表示制限検出情報を記憶する表示制限検出情報記憶手段と、
前記表示制限検出情報に従って、表示を制限する領域を前記表示情報から特定する特定手段と、
前記特定された領域の内容が表示制限され且つ、前記特定された領域の内容を表示させるための表示要求を行う指示領域を有する表示形態に、前記取得した表示情報を変更する変更手段と、
前記変更した表示情報を前記クライアント端末に送信する第１の送信手段と、
前記変更された表示情報に従って、クライアント端末から前記表示要求を受信する受信手段と、
前記受信した表示要求に従って、前記特定された領域の内容が表示される表示形態で、表示情報を前記クライアント端末へ送信する第２の送信手段、
として機能させるプログラム。
【請求項１４】
クライアント端末のウェブページ閲覧アプリケーションで表示可能な表示情報を取得するウェブ管理装置を、
クライアント端末から受けたＵＲＬに従って、第１の表示情報を取得する取得手段と、
前記第１の表示情報と表示情報の内容を表示制限する領域を特定するための表示制限検出情報とに従って、当該表示制限検出情報が検出される領域を前記表示情報から特定する特定手段と、
前記特定された領域の内容が表示制限され且つ、前記特定された領域の内容を表示させるための表示要求を行う指示領域を有する表示形態に、前記取得した第１の表示情報から第２の表示情報を作成する作成手段と、
前記作成された第２の表示情報をクライアント端末に送信する送信手段と、
前記送信したクライアント端末から前記表示要求を受信する受信手段と、
前記受信した表示要求に従って、前記表示制限検出情報を変更する変更手段として機能させ、
前記作成手段は、前記変更された表示制限検出情報と前記第１の表示情報を用いて前記第２の表示情報を作成することを特徴とするプログラム。
【手続補正２】
【補正対象書類名】明細書
【補正対象項目名】発明の名称
【補正方法】変更
【補正の内容】
【発明の名称】ウェブ管理装置、ウェブシステム、ウェブ管理方法、及び、プログラム
【手続補正３】
【補正対象書類名】明細書
【補正対象項目名】０００８
【補正方法】変更
【補正の内容】
【０００８】
また、特許文献２における画像表示技術を使った表示装置の表示方法では、表示制限により書き換えられたページの情報が必要になった場合に、ページ上で表示制限を解除してすぐにその必要な部分を表示させることはできなかった。
【手続補正４】
【補正対象書類名】明細書
【補正対象項目名】００１１
【補正方法】変更
【補正の内容】
【００１１】
本発明の目的は、ＷＥＢページで制限される領域の表示を容易に行わせない仕組みを提供することである。
【手続補正５】
【補正対象書類名】明細書
【補正対象項目名】００１２
【補正方法】変更
【補正の内容】
【００１２】
前述した目的を達成するために第１の発明は、クライアント端末のウェブページ閲覧アプリケーションで表示可能な表示情報を取得するウェブ管理装置であって、前記取得した表示情報の内容を表示制限する領域を特定するための表示制限検出情報を記憶する表示制限検出情報記憶手段と、前記表示制限検出情報に従って、表示を制限する領域を前記表示情報から特定する特定手段と、前記特定された領域の内容が表示制限され且つ、前記特定された領域の内容を表示させるための表示要求を行う指示領域を有する表示形態に、前記取得した表示情報を変更する変更手段と、前記変更した表示情報を前記クライアント端末に送信する第１の送信手段と、前記変更された表示情報に従って、クライアント端末から前記表示要求を受信する受信手段と、前記受信した表示要求に従って、前記特定された領域の内容が表示される表示形態で、表示情報を前記クライアント端末へ送信する第２の送信手段と、を備えることを特徴とするウェブ管理装置である。
【手続補正６】
【補正対象書類名】明細書
【補正対象項目名】００１３
【補正方法】変更
【補正の内容】
【００１３】
第１の発明のウェブ管理装置は、クライアント端末のウェブページ閲覧アプリケーションで表示可能な表示情報を取得する。ウェブ管理装置は、取得した表示情報の内容を表示制限する領域を特定するための表示制限検出情報を記憶し、この表示制限検出情報に従って、表示を制限する領域を表示情報から特定する。ウェブ管理装置は、特定された領域の内容が表示制限され且つ特定された領域の内容を表示させるための表示要求を行う指示領域を有する表示形態に取得した表示情報を変更し、変更した表示情報をクライアント端末に送信する。ウェブ管理装置は、変更された表示情報に従ってクライアント端末から表示要求を受信し、受信した表示要求に従って、特定された領域の内容が表示される表示形態で表示情報をクライアント端末へ送信する。
【手続補正７】
【補正対象書類名】明細書
【補正対象項目名】００１４
【補正方法】変更
【補正の内容】
【００１４】
表示制限検出情報は、ウェブページ等の表示情報の表示制限に関する情報である。表示制限検出情報は、例えば、クライアント端末のユーザ毎あるいはグループ毎に設定された禁止字句に関する情報である。
【手続補正８】
【補正対象書類名】明細書
【補正対象項目名】００１５
【補正方法】変更
【補正の内容】
【００１５】
また、前記変更手段で変更する表示形態は、前記クライアント端末のウェブページを閲覧可能なアプリケーション上で押下可能な表示形態であることが望ましい。
また、前記受信手段で受信される表示要求は、前記表示形態が押下されるに従って受信することが望ましい。
また、表示要求を前記クライアント端末から受信するに際して、前記表示要求に対応する領域の表示制限検出情報を前記表示制限検出情報から削除する削除手段を備えることが望ましい。
また、ウェブ管理装置は、前記クライアント端末から受けたＵＲＬに従って表示情報を取得し、前記ＵＲＬを記憶するＵＲＬ記憶手段を備え、前記第２の送信手段で送信される表示情報は、前記ＵＲＬ記憶手段で記憶されたＵＲＬに従って再度取得した表示情報に従って変更された表示情報であることが望ましい。
また、前記削除手段は、前記表示制限検出情報記憶手段で記憶される表示制限検出情報に従って複製された表示制限検出情報を削除することが望ましい。
また、前記クライアント端末で入力されたユーザ情報を受信するユーザ情報受信手段と、前記受信したユーザ情報に従って認証する認証手段と、を有し、前記第１の送信手段は、前記ユーザ情報が認証された場合に前記取得した表示情報を送信し、前記ユーザ情報が認証されなかった場合に前記取得した表示情報を送信しないことが望ましい。
また、前記第２の送信手段で表示情報を送信するに際して、前記ＵＲＬ、前記ユーザ情報及び前記削除した表示制限検出情報を紐付けて履歴を記憶する履歴記憶手段を備えることが望ましい。
【手続補正９】
【補正対象書類名】明細書
【補正対象項目名】００１６
【補正方法】変更
【補正の内容】
【００１６】
第１の発明によるウェブ管理装置は、クライアント端末からのＷＥＢファイル表示要求に対し、所定の領域を非表示情報に置換して加工したＷＥＢファイルを提供するので、ウェブ管理装置からのＷＥＢファイル閲覧を効率的に制御する効果がある。また、クライアント端末からの表示要求に応じて表示制限された領域を表示させることもできる。また、表示要求履歴を保持するので管理者が容易にクライアント端末を管理することができる。
【手続補正１０】
【補正対象書類名】明細書
【補正対象項目名】００１７
【補正方法】変更
【補正の内容】
【００１７】
第２の発明は、クライアント端末のウェブページ閲覧アプリケーションで表示可能な表示情報を取得するウェブ管理装置であって、クライアント端末から受けたＵＲＬに従って、第１の表示情報を取得する取得手段と、前記第１の表示情報と表示情報の内容を表示制限する領域を特定するための表示制限検出情報とに従って、当該表示制限検出情報が検出される領域を前記表示情報から特定する特定手段と、前記特定された領域の内容が表示制限され且つ、前記特定された領域の内容を表示させるための表示要求を行う指示領域を有する表示形態に、前記取得した第１の表示情報から第２の表示情報を作成する作成手段と、前記作成された第２の表示情報をクライアント端末に送信する送信手段と、前記送信したクライアント端末から前記表示要求を受信する受信手段と、前記受信した表示要求に従って、前記表示制限検出情報を変更する変更手段とを備え、前記作成手段は、前記変更された表示制限検出情報と前記第１の表示情報を用いて前記第２の表示情報を作成することを特徴とするウェブ管理装置である。
【手続補正１１】
【補正対象書類名】明細書
【補正対象項目名】００１８
【補正方法】変更
【補正の内容】
【００１８】
第２の発明のウェブ管理装置は、クライアント端末のウェブページ閲覧アプリケーションで表示可能な表示情報を取得する。ウェブ管理装置は、クライアント端末から受けたＵＲＬに従って、第１の表示情報を取得し、この第１の表示情報と表示情報の内容を表示制限する領域を特定するための表示制限検出情報とに従って、当該表示制限検出情報が検出される領域を表示情報から特定する。ウェブ管理装置は、特定された領域の内容が表示制限され且つ特定された領域の内容を表示させるための表示要求を行う指示領域を有する表示形態に取得した第１の表示情報から第２の表示情報を作成し、作成された第２の表示情報をクライアント端末に送信する。ウェブ管理装置は、クライアント端末から受信した表示要求に従って、表示制限検出情報を変更し、変更された表示制限検出情報と第１の表示情報を用いて第２の表示情報を作成する。
【手続補正１２】
【補正対象書類名】明細書
【補正対象項目名】００１９
【補正方法】変更
【補正の内容】
【００１９】
第３の発明は、ウェブページ閲覧アプリケーションで表示可能な表示情報を取得するウェブ管理装置とクライアント端末とが接続されるウェブシステムであって、前記ウェブ管理装置は、前記取得した表示情報の内容を表示制限する領域を特定するための表示制限検出情報を記憶する表示制限検出情報記憶手段と、前記表示制限検出情報に従って、表示を制限する領域を前記表示情報から特定する特定手段と、前記特定された領域の内容が表示制限され且つ、前記特定された領域の内容を表示させるための表示要求を行う指示領域を有する表示形態に、前記取得した表示情報を変更する変更手段と、前記変更した表示情報を前記クライアント端末に送信する第１の送信手段と、前記変更された表示情報に従って、クライアント端末から前記表示要求を受信する第１の受信手段と、前記受信した表示要求に従って、前記特定された領域の内容が表示される表示形態で表示情報を前記クライアント端末へ送信する第２の送信手段と、を備え、前記クライアント端末は、前記ウェブ管理装置から前記表示情報を受信する第２の受信手段と、前記受信した表示情報をウェブページ閲覧アプリケーションで表示させる第１の表示手段と、前記ウェブページ閲覧アプリケーション上で、前記表示情報の表示制限された領域が指示されるに従って、前記ウェブ管理装置に対して前記表示要求を送信する第３の送信手段と、前記送信された表示要求に従って変更された表示情報を受信する第３の受信手段と、前記変更された表示情報を前記ウェブページ閲覧アプリケーションで表示させる第２の表示手段と、を備えることを特徴とするウェブシステムである。
第３の発明は、ウェブ管理装置とクライアント端末とが接続されて構成されるウェブシステムに関する発明である。
【手続補正１３】
【補正対象書類名】明細書
【補正対象項目名】００２０
【補正方法】変更
【補正の内容】
【００２０】
第４の発明は、クライアント端末のウェブページ閲覧アプリケーションで表示可能な表示情報を取得するウェブ管理装置が実行するウェブ管理方法であって、前記取得した表示情報の内容を表示制限する領域を特定するための表示制限検出情報を記憶する表示制限検出情報ステップと、前記表示制限検出情報に従って、表示を制限する領域を前記表示情報から特定する特定ステップと、前記特定された領域の内容が表示制限され且つ、前記特定された領域の内容を表示させるための表示要求を行う指示領域を有する表示形態に、前記取得した表示情報を変更する変更ステップと、前記変更した表示情報を前記クライアント端末に送信する第１の送信ステップと、前記変更された表示情報に従って、クライアント端末から前記表示要求を受信する受信ステップと、前記受信した表示要求に従って、前記特定された領域の内容が表示される表示形態で、表示情報を前記クライアント端末へ送信する第２の送信ステップと、を備えることを特徴とするウェブ管理方法である。
第４の発明は、第１の発明のウェブ管理装置が実行するウェブ管理方法に関する発明である。
【手続補正１４】
【補正対象書類名】明細書
【補正対象項目名】００２１
【補正方法】変更
【補正の内容】
【００２１】
第５の発明は、クライアント端末のウェブページ閲覧アプリケーションで表示可能な表示情報を取得するウェブ管理装置が実行するウェブ管理方法であって、クライアント端末から受けたＵＲＬに従って、第１の表示情報を取得する取得ステップと、前記第１の表示情報と表示情報の内容を表示制限する領域を特定するための表示制限検出情報とに従って、当該表示制限検出情報が検出される領域を前記表示情報から特定する特定ステップと、前記特定された領域の内容が表示制限され且つ、前記特定された領域の内容を表示させるための表示要求を行う指示領域を有する表示形態に、前記取得した第１の表示情報から第２の表示情報を作成する作成ステップと、前記作成された第２の表示情報をクライアント端末に送信する送信ステップと、前記送信したクライアント端末から前記表示要求を受信する受信ステップと、前記受信した表示要求に従って、前記表示制限検出情報を変更する変更ステップと、を備え、前記作成ステップは、前記変更された表示制限検出情報と前記第１の表示情報を用いて前記第２の表示情報を作成することを特徴とするウェブ管理方法である。
第５の発明は、第２の発明のウェブ管理装置が実行するウェブ管理方法に関する発明である。
【手続補正１５】
【補正対象書類名】明細書
【補正対象項目名】００２２
【補正方法】変更
【補正の内容】
【００２２】
第６の発明は、クライアント端末のウェブページ閲覧アプリケーションで表示可能な表示情報を取得するウェブ管理装置を、前記取得した表示情報の内容を表示制限する領域を特定するための表示制限検出情報を記憶する表示制限検出情報記憶手段と、前記表示制限検出情報に従って、表示を制限する領域を前記表示情報から特定する特定手段と、前記特定された領域の内容が表示制限され且つ、前記特定された領域の内容を表示させるための表示要求を行う指示領域を有する表示形態に、前記取得した表示情報を変更する変更手段と、前記変更した表示情報を前記クライアント端末に送信する第１の送信手段と、前記変更された表示情報に従って、クライアント端末から前記表示要求を受信する受信手段と、前記受信した表示要求に従って、前記特定された領域の内容が表示される表示形態で、表示情報を前記クライアント端末へ送信する第２の送信手段、として機能させるプログラムである。
【手続補正１６】
【補正対象書類名】明細書
【補正対象項目名】００２３
【補正方法】変更
【補正の内容】
【００２３】
第７の発明は、クライアント端末のウェブページ閲覧アプリケーションで表示可能な表示情報を取得するウェブ管理装置を、クライアント端末から受けたＵＲＬに従って、第１の表示情報を取得する取得手段と、前記第１の表示情報と表示情報の内容を表示制限する領域を特定するための表示制限検出情報とに従って、当該表示制限検出情報が検出される領域を前記表示情報から特定する特定手段と、前記特定された領域の内容が表示制限され且つ、前記特定された領域の内容を表示させるための表示要求を行う指示領域を有する表示形態に、前記取得した第１の表示情報から第２の表示情報を作成する作成手段と、前記作成された第２の表示情報をクライアント端末に送信する送信手段と、前記送信したクライアント端末から前記表示要求を受信する受信手段と、前記受信した表示要求に従って、前記表示制限検出情報を変更する変更手段として機能させ、前記作成手段は、前記変更された表示制限検出情報と前記第１の表示情報を用いて前記第２の表示情報を作成することを特徴とするプログラムである。
【手続補正１７】
【補正対象書類名】明細書
【補正対象項目名】００２４
【補正方法】変更
【補正の内容】
【００２４】
尚、上記のプログラムをＣＤ−ＲＯＭ等の記録媒体に保持させて流通させてもよいし、このプログラムを通信回線を介して送受することもできる。
【手続補正１８】
【補正対象書類名】明細書
【補正対象項目名】００２５
【補正方法】変更
【補正の内容】
【００２５】
本発明によれば、ＷＥＢページで制限される領域の表示を容易に行わせない仕組みを提供することができる。
【手続補正１９】
【補正対象書類名】明細書
【補正対象項目名】００８４
【補正方法】変更
【補正の内容】
【００８４】
次に制御部１９−１は、ログファイル４９（図７）、及び個別ログファイル５９−１（図１１）に、解除された禁止字句６３の数の行数分、ログを追加登録し（ステップ２１１０）、表示内容の設定処理（ステップ２０００）に戻る。これによりＷＥＢページの表示制限解除の履歴を管理することができるので、ＷＥＢページの管理が容易になる。